(57)【特許請求の範囲】
【請求項１】
フィルム・シート等の帯状物を低、高速延伸ロールのロール周速度差により帯状物の送り方向に延伸する縦延伸装置において、両側のフレーム等の固定部材に軸支されて低速で駆動される位置固定の低速延伸ロールと、同延伸ロールに巻掛けられた帯状物を巻掛け始めの位置において延伸ロールに向かって押さえる低速側ニップロールと、低速延伸ロールの周速度より延伸率倍の周速度で駆動される低速延伸ロールとの距離が可変の高速延伸ロールと、高速延伸ロールに巻掛けられた帯状物を巻掛け始めの位置において高速延伸ロールに向かって押さえる高速側ニップロールと、両側のフレーム等の固定部材に取付けられ高速延伸ロールを移動させて低速延伸ロールからの距離を変更し、変更した位置を固定できる高速延伸ロール位置調整手段とを備え、前記高速延伸ロール位置調整手段は、両側のフレーム等の固定部材に回転可能に軸支され、同回転軸から離間した位置の、前記回転軸と平行な軸をもって前記高速延伸ロールを回転可能に支える一対の回転レバーと、同回転レバーに結合し高速延伸ロールを回転移動させる単数又は一対の直線駆動アクチュエータと、外部固定部材に取付けられ前記直線駆動アクチュエータによる前記回転レバーの回転移動を止めて同回転レバーの位置を調整固定する単数又は一対の回転レバー位置決め手段とを有してなることを特徴とする帯状物の縦延伸装置。
【請求項２】
請求項１に記載する縦延伸装置において、前記回転レバー位置決め手段は、外部固定部材に取付けられた位置決め機構本体と、同本体に内蔵する外周にヘリカルギアが設けられているナットと、このナットを回す把手付きウォームと、前記ナットに螺合するねじが施工され回転方向を拘束されている突出棒とで構成され、前記把手で前記ウォームを回し、前記ナットを回転することにより、前記突出棒の突き出し距離を調節して前記突出棒の先端が高速延伸ロールを軸支する回転レバーの側面に当接し、同回転レバーを回転移動させる直線駆動アクチュエータの駆動力を受け止めることにより回転レバーの位置を調整し固定するようにしたことを特徴とする帯状物の縦延伸装置。
【請求項３】
請求項１または請求項２に記載する縦延伸装置において、前記回転レバー位置決め手段による高速延伸ロールの調整移動に合わせて、高速側ニップロールが高速延伸ロールに巻掛けられた帯状物の巻掛け始め位置を押さえるように、高速側ニップロールの位置を調整できる高速側ニップロール位置調整手段を設けたことを特徴とする帯状物の縦延伸装置。
【請求項４】
請求項３に記載する縦延伸装置において、前記高速側ニップロール位置調整手段は、両側のフレーム等の固定部材に対称に固設された一対のニップロール位置調整機構本体と、同調整機構本体に高速延伸ロールの移動方向にほぼ平行に設けられた軸受ガイドと、同軸受ガイドにガイドされて移動可能なニップロールレバー回転軸用軸受と、ニップロール位置調整機構本体に内蔵する外周にヘリカルギアが設けられているナットと、このナットを回す把手付きウォームと、前記ナットに螺合するねじが施工され前記ニップロールレバー回転軸用軸受に固設されている調整ねじ軸とで構成され、前記把手で前記ウォームを回し、前記ナットを回転し、前記調整ねじに固定したニップロールレバー回転軸用軸受の位置を調節するようにしたことを特徴とする帯状物の縦延伸装置。
【発明の詳細な説明】
【０００１】
【発明の属する技術分野】
本発明はフィルム・シート等の帯状物の延伸装置に関し、特に高速、高倍率延伸を可能とするフィルム・シート等の帯状物の縦延伸装置に関する。
【従来の技術】
フィルム・シート等の２軸延伸装置においては、Ｔ型ダイよりシート状に押し出されたシートが冷却され結晶化した後に、加熱し軟質化されたシートは縦方向の延伸がなされ、さらに、テンターにおいて横方向に延伸されてフィルムとなる。最近はフィルムの生産速度が早くなり、高速（毎分３００メートル以上）、高倍率（４．５倍以上）の延伸を可能とする設備が出現している。ロール周速度差を用いてシートの送り方向に延伸する縦延伸装置においての上記のような高速のシート・フィルムのハンドリングでは、ロールとシートの間に空気が巻き込まれ、ロールとシート間に隙間ができることによりすべりが生じ、フィルム面が傷つく虞が生じる。このようにロールとシートの間の空気の巻き込みを防止するため、延伸ロール上のフィルムを押さえるようにニップロールを設置し、また延伸ロールの配置を改善することにより、ロールとシートの間に巻き込まれる空気を排除し、低速延伸ロールと高速延伸ロール間のフィルム延伸域長さ（ロールとフィルム接点間距離）を適正化することで、ロールとシート間のすべりを防ぎ、フィルム面の傷を無くすようにしている。但し、低速側の延伸ロールと高速側の延伸ロールのフィルム接点間距離は、延伸前のフィルム原反の断面形状、原料、及び、ロールとフィルム間の摩擦などにより異なるため、延伸装置が稼働した状態で調整する必要がある。
【０００２】
特開平８−１１８４６６号に開示されている縦延伸装置の従来例は、低、高速延伸ロール間の間隙を変化させるためのロール移動手段と、ニップロールの各低、高速延伸ロールの表面へのフィルムの押し付け位置を変更する押付位置変更手段を有するフィルム等の縦延伸装置であり、フィルムの物性、厚さ、延伸速度等に応じて、延伸ロール間の間隙を変化させることができるようになっている。この従来例の、低、高速延伸ロール間の間隙を変化させるロール移動手段は、低、高速延伸ロールを、分割したフレームのそれぞれに設置し、２つのフレームの間隔を変えるようにしてあるものであり、また、ニップロールの各延伸ロールの表面へのフィルムの押し付け位置を変更する押付位置変更手段は、ニップロールとニップロールに押し力を加えるレバーやアクチュエータが一体となって延伸ロールの回転軸を中心に回転移動可能なように配置されたものである。
【０００３】
【発明が解決しようとする課題】
上記のように、フィルム等の縦延伸装置においては、高速、高倍率延伸を可能とするために、低、高速延伸ロール間の距離を変化させるとともに、ロールとシートの間に巻き込まれる空気を排除することで、ロールとシート間のすべりを防ぎ、フィルム面の傷とマークの発生を無くすようにしており、従来例もこの問題に対する解決手段として提案されている。しかし、特開平８−１１８４６６号のニップロールの延伸ロールへのフィルムの押し付け位置を変更する押付位置変更手段は、延伸ロール軸心周りに取付けられて回転移動するように構成されているが、低、高速延伸ロールは温度調整のための熱媒体の出入、低、高速駆動機構等を併存し、同じロール軸心を共有しているため構成が複雑となり、高コストとなる。
本発明は、フィルム等の縦延伸装置において、低、高速延伸ロール間の間隙を変化させるとともに、ロールとシートの間に巻き込まれる空気を排除するニップロール位置を適正な位置に保つようにした簡便で低コストの縦延伸装置を提供することを目的とする。
【０００４】
【課題を解決するための手段】
上記の問題に対して本発明は、以下の各項に示す特徴を有する装置を以て解決手段とする。
（１）  フィルム・シート等の帯状物を低、高速延伸ロールのロール周速度差により帯状物の送り方向に延伸する縦延伸装置において、両側のフレーム等の固定部材に軸支されて低速で駆動される位置固定の低速延伸ロールと、同延伸ロールに巻掛けられた帯状物を巻掛け始めの位置において延伸ロールに向かって押さえる低速側ニップロールと、低速延伸ロールの周速度より延伸率倍の周速度で駆動される低速延伸ロールとの距離が可変の高速延伸ロールと、高速延伸ロールに巻掛けられた帯状物を巻掛け始めの位置において高速延伸ロールに向かって押さえる高速側ニップロールと、両側のフレーム等の固定部材に取付けられ高速延伸ロールを移動させて低速延伸ロールからの距離を変更し、変更した位置を固定できる高速延伸ロール位置調整手段とを備え、前記高速延伸ロール位置調整手段は、両側のフレーム等の固定部材に回転可能に軸支され、同回転軸から離間した位置の、前記回転軸と平行な軸をもって前記高速延伸ロールを回転可能に支える一対の回転レバーと、同回転レバーに結合し高速延伸ロールを回転移動させる単数又は一対の直線駆動アクチュエータと、外部固定部材に取付けられ前記直線駆動アクチュエータによる前記回転レバーの回転移動を止めて同回転レバーの位置を調整固定する単数又は一対の回転レバー位置決め手段とを有してなることを特徴とする帯状物の縦延伸装置。
【０００５】
（２）  上記（１）の縦延伸装置において、前記回転レバー位置決め手段は、外部固定部材に取付けられた位置決め機構本体と、同本体に内蔵する外周にヘリカルギアが設けられているナットと、このナットを回す把手付きウォームと、前記ナットに螺合するねじが施工され回転方向を拘束されている突出棒とで構成され、前記把手で前記ウォームを回し、前記ナットを回転することにより、前記突出棒の突き出し距離を調節して前記突出棒の先端が高速延伸ロールを軸支する回転レバーの側面に当接し、同回転レバーを回転移動させる直線駆動アクチュエータの駆動力を受け止めることにより回転レバーの位置を調整し固定するようにした帯状物の縦延伸装置。
【０００６】
（３）  上記（１）または（２）の縦延伸装置において、前述の回転レバー位置決め手段による高速延伸ロールの調整移動に合わせて、高速側ニップロールが高速延伸ロールに巻掛けられた帯状物の巻掛け始め位置を押さえるように、高速側ニップロールの位置を調整できる高速側ニップロール位置調整手段を設けた帯状物の縦延伸装置。
（４）  上記（３）の縦延伸装置において、前記高速側ニップロール位置調整手段は、両側のフレーム等の固定部材に対称に固設された一対のニップロール位置調整機構本体と、同調整機構本体に高速延伸ロールの移動方向にほぼ平行に設けられた軸受ガイドと、同軸受ガイドにガイドされて移動可能なニップロールレバー回転軸用軸受と、ニップロール位置調整機構本体に内蔵する外周にヘリカルギアが設けられているナットと、このナットを回す把手付きウォームと、前記ナットに螺合するねじが施工され前記ニップロールレバー回転軸用軸受に固設されている調整ねじ軸とで構成され、前記把手で前記ウォームを回し、前記ナットを回転し、前記調整ねじに固定したニップロールレバー回転軸用軸受の位置を調節するようにした帯状物の縦延伸装置。
【０００７】
【発明の実施の形態】
本発明の縦延伸装置の構成の内、延伸ロールの間隔調整装置の実施形態を図に基づいて説明する。
図１はフィルム縦延伸装置の延伸ローラの配置を示す側面図、図２は図１の延伸ローラの配置の変化状態を示す側面図である。
図において、延伸前のフィルム１は、低速送り駆動ロール２を経て、低速送り駆動ロール２と同じ周速で駆動されている低速延伸ロール３に巻掛けられ、次いで、低速延伸ロール３の周速度の延伸率倍の周速度で駆動される高速延伸ロール４に巻掛けられ、この低速延伸ロール３と高速延伸ロール４の間でこれら両ロールの周速度差により延伸される。延伸されたフィルム１’は高速延伸ロール４と同じ周速で駆動される高速送りロール５に巻掛けられて後段の処理工程へ送られる。
【０００８】
低速側ニップロール６は低速延伸ロール３に巻掛けられたフィルム１を巻掛け始めの位置において同延伸ロール３に向かって押さえて、低速延伸ロール３が確実にフィルム１を駆動するように、また、低速延伸ロール３とフィルム１の間に空気が入り込まぬようにしている。低速側ニップロール６は図示略の縦延伸装置フレームに固設された軸９に回転可能に軸支されたニップロールレバー８の端部に回転自由に軸支され、直線駆動アクチュエータである油圧又は空気圧のシリンダ・ピストン１５によって低速延伸ロール３への押し力を発生し、調整される。高速側ニップロール７は高速延伸ロール４に巻掛けられた延伸後のフィルム１’を巻掛け始めの位置において延伸ロール４に向かって押さえて、高速延伸ロール４が確実にフィルム１’を駆動するように、また、高速延伸ロール４とフィルム１’の間に空気が入り込まぬようにしている。高速側ニップロール７は油圧又は空気圧のシリンダ・ピストン２３によって高速延伸ロール４への押し力を発生し、調整される。
【０００９】
高速延伸ロール４は回転レバー１１により両側で回転可能に軸支されており、回転レバー１１が回動することにより低速延伸ロール３との距離を変更することができる。回転レバー１１は回転軸１２に固設され、回転軸１２は両側の図示略の縦延伸装置フレームに位置を固定し回転可能に軸支されており、回転レバー１１の端部に直線駆動アクチュエータである油圧又は空気圧のシリンダ・ピストン１４がピンジョイント結合し、回転レバー１１を回転駆動する。回転レバー１１は図示略の縦延伸装置フレームに取付けられた回転レバー位置決め手段２４により位置を調整することができる。回転レバー１１と回転軸１２の一体組合わせが高い剛性構造になっていれば、回転レバー位置決め手段２４とシリンダ・ピストン１４は片側の回転レバーにのみに取付け、１組で足りるが、高速延伸ロール４に大きな力が作用し、この力に対して回転レバー１１と回転軸１２の組合わせにおいて十分な剛性が得られぬ場合は、回転レバー位置決め手段２４とシリンダ・ピストン１４は対称に２組設置する必要がある。
【００１０】
この回転レバー１１の位置決め手段２４は、図示略の縦延伸装置フレームに取付けられた位置決め機構本体２５と、同本体２５に内蔵する外周にヘリカルギアが設けられているナット２７と、このナット２７を回す把手付きウォーム２８と、ナット２７に螺合し全長に亙ってねじが施工され回転方向を拘束されている突出棒２６とで構成された位置決め手段で、把手付きウォーム２８の把手を回し、前記ナット２７を回転し、突出棒２６の突き出し距離を調節して突出棒２６の先端２６ａが高速延伸ロール４を軸支する回転レバー１１の側面に当接して止め、回転レバー１１を回転移動させる油圧又は空気圧のシリンダ・ピストン１４の駆動力を受け止めることにより高速延伸ロール４の位置を調整固定するように構成されている。
図２は回転レバー１１を回動したときの３箇所の移動位置を示している。回転レバー１１は軸１２を中心にして回転し、実線は高速延伸ロール４が低速延伸ロール３から最も離れた位置を示し、位置決め手段２４の突出棒２６が最も長く突き出して回転レバー１１の側面１１ａを押している。また、２点鎖線は高速延伸ロール４が低速延伸ロール３に最も近い位置を示し、点線は両者の中間位置を示している。
【００１１】
高速延伸ロール４に巻掛けられ、延伸されたフィルム１’が巻掛け始めるロール４との接点は、高速延伸ロール４の移動により変化するが、ロール４との接点を押さえなければならぬ高速側ニップロール７の位置は、ニップロール位置調整手段３０を用いて調整することができる。
高速側ニップロール７の位置調整手段３０は、図示しない両側のフレームに固設されて一対のニップロール７の位置を調整する位置調整機構本体１８と、同調整機構本体１８に高速延伸ロール４の移動方向にほぼ平行に設けられた軸受ガイド１８ａ、１８ｂと、同軸受ガイド１８ａ、１８ｂにガイドされて移動可能なニップロールレバー回転軸用軸受１９と、ニップロール７の位置調整機構本体１８に内蔵する外周にヘリカルギアが設けられているナット２１、このナット２１を回す把手付きウォーム２２と、ナット２１に螺合するねじが施工され、ニップロールレバー回転軸用軸受１９に固設されている調整ねじ軸２０とで構成されている。把手付きウォーム２２の把手でウォーム２２を回し、ナット２１を回転し、調整ねじ軸２０に固定したニップロールレバー回転軸用軸受１９の位置を調節するようになっている。
【００１２】
回転レバー１１が回動することにより高速延伸ロール４が移動して低速延伸ロール３との距離を（例えば、図１において２点鎖線で示す高速延伸ロール４のように）変更すると、高速延伸ロール４に巻掛けられた延伸後のフィルム１’の巻掛け始めの位置が変わり、高速側ニップロール７が押さえる位置は正しい位置からずれてしまうが、このとき、ニップロールレバー回転軸用軸受１９の位置を調節することにより、ニップロールレバー１６を２点鎖線で示す位置に調整すれば、高速側ニップロール７が押さえる位置は正しい位置を占めることになる。これにより、高速側ニップロール７は高速延伸ロール４に巻掛けられた延伸後のフィルム１’の巻掛け始めの位置において高速延伸ロール４に向かって押さえて、高速延伸ロール４が確実にフィルム１’を駆動するように、また、高速延伸ロール４とフィルム１’の間に空気が入り込まぬようにできる。油圧、又は空圧シリンダ・ピストン２３はストロークに余裕を持たせておけばニップロールレバー１６の位置の変化に対応できる。
【００１３】
【発明の効果】
シート・フィルム等の帯状物の高速、高倍率延伸時には、ロールとフィルムの間に空気が巻き込まれ、ロールとフィルム間に隙間ができることによりすべりが生じ、フィルム面に傷や付着物によるマークが着く虞がある。ロールとシートの間への空気巻き込みを防止するためにはニップロールを設置してロールとシートの巻始め接点付近を押さえ、また、低速、高速延伸ロール間のフィルム接点間距離である延伸域長さを適正化することでも、ロールとシート間のすべりと、フィルム面の傷の問題を改善することができる。低速側と高速側の延伸ロールのフィルム接点間距離は、延伸前のフィルム原反の断面形状、原料、及び、ロールとフィルム間の摩擦などにより異なるため、縦延伸装置を稼働した状態で調整する必要がある。
本発明は、このような稼働条件に対応するもので、シート・フィルム等の帯状物の縦延伸装置において、稼働中に、低、高速延伸ロール間の間隙を変化させることができ、帯状物の接点位置にニップロール位置を保つようにした簡便で低コストの縦延伸装置を提供する目的に添うものである。
【図面の簡単な説明】
【図１】本発明の実施の形態に係るフィルム等の帯状物の縦延伸装置の延伸ローラの配置を示す側面図である。
【図２】図１の延伸ローラの配置の変化状態を示す側面図である。
【符号の説明】
１    延伸前のフィルム
１’  延伸後のフィルム
３    低速延伸ロール
４    高速延伸ロール
６    低速側ニップロール
７    高速側ニップロール
１１    回転レバー
１４    シリンダ・ピストン
１６    ニップロールレバー
１７    ニップロールレバー軸
１８    ニップロール位置調整機構本体
１８ａ、１８ｂ    軸受ガイド
１９    ニップロールレバー軸用軸受
２０    調整ねじ軸
２１    ナット
２２    把手付きウォーム
２４    回転レバー位置決め手段
２５    位置決め機構本体
２６    突出棒
２７    ナット
２８    把手付きウォーム
３０    ニップロール位置調整手段
【図１】
0003954873.tif 000002
【図２】
0003954873.tif 000003